(57)【特許請求の範囲】
【請求項１】
電気機器の名称を表示する表示ラベルを収納し、表面から該表示ラベルを視認可能としたカードホルダであって、
該カードホルダは、樹脂性の薄板を折り曲げて扁平筒状に一体形成され、かつ該表示ラベルの表面と相対する表面部と、該表面部の上下端部から該表示ラベルの裏面と相対する方向に折り返し形成された腕部とからなり、
該カードホルダの左右端部には、該表示ラベルの挿入口あるいは引抜口となる貫通口を有し、
該カードホルダの表面側端部近傍には切込み片が形成され、
該切込み片を、該カードホルダの最背面となる背面部に達するように折り込んだ状態において、該切込み片が腕部に係止され、前記貫通口の端部を封止するものとして、該切込み片に該表示ラベルの端部を当接させて該表示ラベルを保持する
ことを特徴とするカードホルダ。
【請求項２】
該切込み片は、該表面部の端部近傍を山型形状に切り込んで形成され、
上下双方の該腕部を、山型の該切込み片の先端付近で突き合わせたことを特徴とする請求項１記載のカードホルダ。
【請求項３】
該切込み片と対峙する該腕部の端部に、内側折曲げ部を設けたことを特徴とする請求項２記載のカードホルダ。
【発明の詳細な説明】
【技術分野】
【０００１】
本発明は、電気機器収納用箱のユニット、分電盤等に貼り付けされるカードホルダに関するものである。
【背景技術】
【０００２】
複数のユニットが取り付けられる電気機器収納用箱や、複数の分岐開閉器を有する分電盤では、通常、各ユニットや分岐開閉器の用途や名称等を表記した表示ラベルを保持するカードホルダを筐体内に貼付して、配線作業等における作業性の向上を図っている。
【０００３】
カードホルダの構造として、従来、ホルダ本体に透明カバーを被せて、その間に表示ラベルを保持させるもの（特許文献１）や、筐体内に配置された中蓋等の基材に係止された透明カバー固定部材で透明カバーを挟みこんで固定して、基材と透明カバーとの間に形成される隙間に表示ラベルを保持させるもの（特許文献２）等が開示されている。
【０００４】
しかし、特許文献１記載のカードホルダは、ホルダ本体にヒンジを介して透明カバーを開閉自在に一体に連設したものであり、特許文献２記載のカードホルダは、透明カバー固定部材に爪部を形成するとともに、基材に穴部を形成して、該爪部と該穴部とを係止するものであり、何れも、構成部品点数が多く、構造が複雑になる問題があった。
【先行技術文献】
【特許文献】
【０００５】
【特許文献１】特開平０８-１４６８７７号公報
【特許文献２】実公平５-２６６０９号公報
【発明の概要】
【発明が解決しようとする課題】
【０００６】
本発明の目的は前記の問題を解決し、従来のカードホルダに比べて、少ない部品点数で構成された簡易な構造のカードホルダを提供することである。
【課題を解決するための手段】
【０００７】
上記課題を解決するためになされた本発明のカードホルダは、電気機器の名称を表示する表示ラベルを収納し、表面から該表示ラベルを視認可能としたカードホルダであって、該カードホルダは、樹脂性の薄板を折り曲げて扁平筒状に一体形成され、かつ該表示ラベルの表面と相対する表面部と、該表面部の上下端部から該表示ラベルの裏面と相対する方向に折り返し形成された腕部とからなり、該カードホルダの左右端部には、該表示ラベルの挿入口あるいは引抜口となる貫通口を有し、該カードホルダの表面側端部近傍には切込み片が形成され、該切込み片を、該カードホルダの最背面となる背面部に達するように折り込んだ状態において、該切込み片が腕部に係止され、前記貫通口の端部を封止するものとして、該切込み片に該表示ラベルの端部を当接させて該表示ラベルを保持することを特徴とするものである。
【０００８】
請求項２記載の発明は、請求項１記載のカードホルダにおいて、該切込み片は、該表面部の端部近傍を山型形状に切り込んで形成され、該上下双方の腕部を、該山型切込み片の先端付近で突き合わせたことを特徴とするものである。
【０００９】
請求項３記載の発明は、請求項２記載のカードホルダにおいて、該切込み片と対峙する該腕部の端部に、内側折曲げ部を設けたことを特徴とするものである。
【発明の効果】
【００１０】
本発明に係るカードホルダによれば、電気機器の名称を表示する表示ラベルを収納し、表面から該表示ラベルを視認可能としたカードホルダであって、該カードホルダは、樹脂性の薄板を折り曲げて扁平筒状に一体形成され、かつ該表示ラベルの表面と相対する表面部と、該表面部の上下端部から該表示ラベルの裏面と相対する方向に折り返し形成された腕部とからなり、該カードホルダの左右端部には、該表示ラベルの挿入口あるいは引抜口となる貫通口を有し、該カードホルダの表面側端部近傍には切込み片が形成され、該切込み片を、該カードホルダの最背面となる背面部に達するように折り込んだ状態において、該切込み片が腕部に係止され、前記貫通口の端部を封止するものとして、該切込み片に該表示ラベルの端部を当接させて該表示ラベルを保持する構成により、簡易な構造の一部材のみで表示ラベルを収納することができる。更に、表示ラベルの出し入れ作業も容易に行うことができ、かつ、収納された表示ラベルの脱落も効果的に防止することができる。
【図面の簡単な説明】
【００１１】
【図１】複数のユニットを搭載した光接続箱の全体説明図である。
【図２】ユニットの全体斜視図である。
【図３】本実施形態におけるカードホルダに表示ラベルを保持させた状態の全体斜視図である。
【図４】本実施形態におけるカードホルダに表示ラベルを差し込み途中の全体斜視図である。
【図５】切込み片をカードホルダの背面部に折り込む前の状態での要部拡大図である。（ａ：表面、ｂ：裏面）
【図６】切込み片をカードホルダの背面部に折り込んだ状態での要部拡大図である。（ａ：表面、ｂ：裏面）
【図７】他の実施形態におけるカードホルダの要部拡大図である。（切込み片をカードホルダの背面部に折り込む前の状態）
【図８】他の実施形態におけるカードホルダの要部拡大図である。（切込み片をカードホルダの背面部に折り込む前の状態）
【発明を実施するための形態】
【００１２】
以下に本発明の好ましい実施形態を示す。本実施形態のカードホルダ１は、図１、図２に示すように、スプライスユニットや融着トレイなど、複数のユニット２を搭載する光接続箱３の筐体内部で、各ユニット２の前面に貼付して使用される。
【００１３】
カードホルダ１は、図３、図４に示すように、透明な樹脂性の薄板を折り曲げて扁平筒状に一体形成され、内部に形成される空間に、電気機器の名称や用途や構造などを記載した表示ラベル５を収納し、表面部４から、カードホルダ１内に収納された表示ラベル５を視認可能としたものである。
【００１４】
カードホルダ１は、図６に示すように、表示ラベル５の表面と相対する表面部４と、表面部４の上下端部から表示ラベル５の裏面と相対する方向に折り返し形成された腕部６とからなり、腕部６の裏面すなわちカードホルダ１の最背面となる背面部１４に両面テープ等を取り付けてユニット前面に貼付することができる。
【００１５】
カードホルダ１の左右端部には、表示ラベル５の挿入口あるいは引抜口となる貫通口７が形成されている。
【００１６】
図５（ａ）に示すように、表示ラベル５の表面には、一方の貫通口７に隣接する箇所に切込み片８が形成されている。切込み片８は、表示ラベル５の表面で、上下に非切込み部９を残して三角形状の切込みを入れて形成されており、図６（ｂ）に示すように、この切込み片８を、カードホルダ１の背面部１４すなわち上下双方の腕部６の背面側に折り込んだ状態として貫通口７の端部を封止する構造となっている。
【００１７】
上下双方の腕部６は、図５（ｂ）、図６（ｂ）に示すように、切込み片８の先端付近で突き合わせて配置されている。当該構造によれば、切込み片８を腕部６の背面部側に折り込む際、腕部６の突き合わせた部分を割り入れながら切込み片８を挿入することができるため、切込み片８の折り込み作業を容易に行うことができる。
【００１８】
本実施形態では、切込み片８の折り込み作業を容易にするために、上下双方の腕部６を切込み片８の先端付近で突き合わせて配置したほか、図５、図６に示すように、カードホルダ１の表面部４の少なくとも一方の端部に貫通口７よりも延設させた延設部１１を設け、切込み片８の基端部８ａが延設部１１に位置するように切込みを形成している。つまり、切込み片８が上下双方の腕部６の貫通口７側の端部に跨るように形成しており、腕部６の背面側に切込み片８を折り込む際に、付き合わせた部分への割り入れが容易にできるようになるものである。
【００１９】
その他、図７に示すように、切込み片８と対峙する腕部６の端部に三角形状の内側折曲げ部１３を形成することもできる。このように、腕部６に内側折曲げ部１３を形成しておくことにより、表示ラベル５をカードホルダ１内に収納した際に、内側折曲げ部１３の先端部が表示ラベル５の裏面に当接し、表面部４に押圧するように保持されるため、表示ラベルが左右方向に摺動することを防止するものとなっている。更に、切込み片８をカードホルダ１の背面部１４に折り込んだ際、切込み片８の基部を内側折曲げ部１３内に収納することができるため、カードホルダ１の背面部１４より外側への突出量を抑えることができ、ユニット２の前面に貼付時に切込み片８の突出が少なくなり貼り付けが容易となる。
【００２０】
図６（ｂ）のように、切込み片８を、カードホルダ１の背面部１４に折り込んだ状態として貫通口７の端部を封止した状態において、他方の貫通口７からカードホルダ１の上下幅と略同一幅の表示ラベル５を挿入すると、図３に示すように、表示ラベル５の端部１０が切込み片８の上下端部の基端部８ａに当接して、表示ラベル５の落下が防止される。表示ラベル５が切込み片８の上下の基端部８ａ間より幅狭のものでは落下する虞があるので、表示ラベル５は上下の基端部８ａ間より幅広に形成していることが望ましい。このように構成することによって、簡易な構造の一部材のみで表示ラベル５を収納可能とするとともに、収納された表示ラベル５の脱落も効果的に防止することができる。更に、図８に示すように、切込み片８と対峙する腕部６の内側折曲げ部１３の先端部を切欠き部１２を形成するものであって良い。その場合は、切込み片８を腕部６の背面部１４側に折り込みを容易に行えるようになる。
【００２１】
なお、切込み片８の形状は三角形状に限定されるものではなく、円弧状や四角形状とすることもできる。また、表面部４の左右２か所に切込み片８を形成して、表示ラベル５の落下防止機能を強化することも可能である。
【符号の説明】
【００２２】
１  カードホルダ
２  ユニット
３  光接続箱
４  表面部
５  表示ラベル
６  腕部
７  貫通口
８  切込み片
８ａ  基端部
９  非切込み部
１０  表示ラベルの端部
１１  延設部
１２  切欠き部
１３  内側折曲げ部
１４  背面部
【図１】
0006035527.tif 000002
【図２】
0006035527.tif 000003
【図３】
0006035527.tif 000004
【図４】
0006035527.tif 000005
【図５】
0006035527.tif 000006
【図６】
0006035527.tif 000007
【図７】
0006035527.tif 000008
【図８】
0006035527.tif 000009